(57)【要約】【課題】ロック解除のための操作力が小さくて済み、操作性が良好で使い勝手が良く、しかもロック状態でスライドシャワーフックがスライドバーに沿って上方向にも下方向にも移動してしまうことのないスライドシャワーフック装置を提供する。【解決手段】スライドシャワーフック装置において、ロック機構として、スライドシャワーフック１８を下向きに移動不能にロックし、上向きには移動可能とする下方向ロック機構３２と、スライドシャワーフック１８を上向きに移動不能にロックし、下方向には移動可能とする上方向ロック機構３４とを設け、それらによりスライドシャワーフック１８を上下の何れの方向にも固定するようになす。【選択図】        図３
2008190264.tif 000002
【特許請求の範囲】
【請求項１】
シャワーヘッドを脱着可能に掛止して保持するフック部、及びスライドバーに摺動可能に嵌合する嵌合部を備え、該スライドバーに上下方向にスライド移動可能に組み付けられるスライドシャワーフックに、該スライドシャワーフックを該スライドバーに対して上下の所定位置に固定する、ロック解除が可能なロック機構を設けて成るスライドシャワーフック装置において
前記ロック機構として、ロック状態で前記スライドシャワーフックを前記スライドバーに対し下向きに移動不能にロックし、上向きには移動可能とする下方向ロック機構と、ロック状態で該スライドシャワーフックを該スライドバーに対して上向きに移動不能にロックし、下方向には移動可能とする上方向ロック機構とを設け、それら下方向ロック機構と上方向ロック機構との各ロック作用により、前記スライドシャワーフックを前記スライドバーに対し、上下の何れの方向にも固定するようになしたことを特徴とするスライドシャワーフック装置。
【請求項２】
請求項１において、前記下方向ロック機構が上側の位置に、前記上方向ロック機構が下側の位置に配置してあることを特徴とするスライドシャワーフック装置。
【請求項３】
請求項１，２の何れかにおいて、前記下方向ロック機構を、被噛込部と、ロック作用状態で該被噛込部を前記スライドバーとともに下方向に噛み込んで、前記スライドシャワーフックを噛込方向である該下方向に移動不能とし、非噛込方向である上方向に移動可能とする噛込部と、を備えて構成するとともに
前記上方向ロック機構を、被噛込部と、ロック作用状態で該被噛込部を前記スライドバーとともに上方向に噛み込んで、前記スライドシャワーフックを噛込方向である該上方向に移動不能とし、非噛込方向である下方向に移動可能とする噛込部と、を備えて構成してあることを特徴とするスライドシャワーフック装置。
【請求項４】
請求項３において、前記下方向ロック機構の前記被噛込部を、該下方向ロック機構の前記噛込部による上側の噛込位置と、非噛込位置である下側の退避位置との間で移動可能として、該被噛込部を付勢手段にて該噛込位置に向けて上方向に付勢するか、又は前記噛込部を、前記噛込位置と、非噛込位置である上側の退避位置との間で移動可能として、該噛込部を付勢手段にて該噛込位置に向けて下方向に付勢するようになしてあり
前記上方向のロック機構の前記被噛込部を、該上方向ロック機構の前記噛込部による下側の噛込位置と、非噛込位置である上側の退避位置の間で移動可能として、該被噛込部を付勢手段にて該噛込位置に向けて下方向に付勢するか、又は前記噛込部を前記噛込位置と、非噛込位置である下側の退避位置との間で移動可能として、該噛込部を付勢手段にて該噛込位置に向けて上方向きに付勢するようになしてあることを特徴とするスライドシャワーフック装置。
【発明の詳細な説明】
【技術分野】
【０００１】
この発明はシャワーヘッドを脱着可能に保持し、スライドバーに沿って上下にスライド移動可能に組み付けられるスライドシャワーフック装置に関し、特にロック機構に特徴を有するものに関する。
【背景技術】
【０００２】
従来、シャワーヘッドを脱着可能に掛止して保持するフック部及びスライドバーに摺動可能に嵌合する嵌合部を備え、スライドバーに上下方向にスライド移動可能に組み付けられるスライドシャワーフックに、これをスライドバーに対し上下の所定位置に固定する、ロック解除が可能なロック機構を設けて成るスライドシャワーフック装置が浴室のシャワー装置等において広く用いられている。
【０００３】
図１１及び図１２は、このスライドシャワーフック装置の従来の一例を示している。
図１１において、２００は壁等に上下方向に設けられたスライドバー、２０２はスライドシャワーフック２０４を有するスライドシャワーフック装置で、スライドシャワーフック２０４の内部に、これをスライドバー２００に対し上下方向の所定位置に固定する、ロック解除が可能なロック機構が設けられている。
【０００４】
スライドシャワーフック２０４は嵌合部２０６を備えており、その嵌合部２０６の嵌合孔２０８において、スライドバー２００にスライド移動可能に嵌合している。
スライドシャワーフック２０４は、図中左端部にフック部２１０を備えており、そのフック部２１０の掛止孔２１２に、シャワーヘッドが脱着可能に掛止されるようになっている。
【０００５】
一方反対側の端部には、スライドシャワーフック２０４をスライドバー２００に対して固定し、またその固定を解除するための回転ハンドル式の操作部２１４が設けられている。
このスライドシャワーフック装置２０２では、操作部２１４を一方向に回転操作すると、図１２に示す内部のロック機構２１９が働いて、スライドシャワーフック２０４をスライドバー２００に固定する。
また操作部２１４を逆方向に回転操作すると、そのロック機構２１９によるロックが解除され、スライドシャワーフック２０４が、スライドバー２００に沿って上下にスライド移動可能となる。
【０００６】
図１２にスライドシャワーフック２０４の内部の構造が示してある。
同図において、２２０はスライドバー２００の外周面に押し付けられて、スライドシャワーフック２０４をスライドバー２００に移動不能に固定するブレーキ部材としての押圧部材で、２１６はこの押圧部材２２０をスライドバー２００に押圧するロック位置と、図中右方向に退避した退避位置との間で進退駆動するリング状の駆動部材で、この例ではこれら押圧部材２２０と駆動部材２１６とでロック機構２１９が構成されている。
【０００７】
このスライドシャワーフック装置２０２では、回転ハンドル式の操作部２１４を一方に回転操作すると、駆動部材２１６がセレーション部２１８でのセレーション結合に基づいて操作部２１４と一体回転する。
すると押圧部材２２０が、ねじ部２２２のねじ送り作用で図中左方向に押し出されて、スライドバー２００の外周面に押し付けられ、ここにおいて押圧部材２２０のブレーキ作用によりスライドシャワーフック２０４が、スライドバー２００に固定状態となる。即ち移動不能なロック状態となる。
一方操作部２１４を逆方向に回転させると、押圧部材２２０が図中右方向に退避し、ここにおいてスライドシャワーフック２０４のスライドバー２００への固定、即ちロックが解除される。
【０００８】
このスライドシャワーフック装置２０２の場合、押圧部材２２０をスライドバー２００と直角方向の横向に押し付ける力それ自体で、スライドシャワーフック２０４をスライドバー２００に固定し、ロックするものであるため、スライドシャワーフック２００の固定のために強い横向きの押付力が必要であり、必然的にロック解除する際には強い解除操作力が必要となって、操作性，使い勝手の点で必ずしも十分とは言えないものであった。
【０００９】
この図１１及び図１２に示すものは、スライドシャワーフック２０４をスライドバー２００に対し固定状態にロックする際も、またロック解除する際も、何れも回転ハンドル式の操作部２１４を使用者が操作することによって行うものであるが、これとは別に、スライドシャワーフック２０４の内部にばね部材を内蔵しておいて、通常時はそのばね部材のばね力で押圧部材をスライドバーに押し付けてスライドシャワーフック２０４をスライドバー２００に固定状態にロックしておき、ロック解除のときだけ、スライドシャワーフック２０４に設けたロック解除操作部を解除操作することで、ロック解除するようになしたものも従来公知である。
【００１０】
例えばこの種のシャワーフック装置が下記特許文献１，特許文献２，特許文献３に開示されている。
しかしながらこれら特許文献に開示のものも、ばね部材のばね力で押圧部材をスライドバーの外周面に横向きに押し付け、ロックを行うものであり、スライドバーに対するスライドシャワーフックの固定力を安定した強い力とするためには強いばね力が必要で、必然的にロック解除の際にも強い操作力が必要となり、上記と同様の問題を内在するものである。
【００１１】
一方、スライドシャワーフック装置におけるロック機構として、ロック状態でスライドシャワーフックをスライドバーに対し下向きにだけ移動不能にロックし、上向きには移動可能とするワンウェイクラッチ式の下方向ロック機構のみを設け、通常時にはスライドシャワーフック装置自体の重み、及びこれに保持されたシャワーヘッド、更にはこれに繋がるホース等の重みによって下方向ロック機構を働かせてスライドシャワーフックをロック状態とし、そして押ボタン式のロック解除操作を下向きに押込操作することでロックを解除して、スライドシャワーフックをスライドバーに沿って移動可能となしたスライドシャワーフック装置も従来知られている。
【００１２】
このものは下方向ロック機構を、被噛込部と、ロック作用状態で被噛込部をスライドバーとともに下方向に噛み込んで、スライドシャワーフックを噛込方向の下方向に移動不能とし、非噛込方向である上方向には移動可能とする噛込部材とを備えて構成されているものである。
【００１３】
このスライドシャワーフック装置では、スライドシャワー装置，シャワーヘッド，ホース等の重みによって被噛込部がスライドバーと噛込部との間に下方向に噛み込まれた状態となるため、それらスライドシャワーフック装置，シャワーヘッド等の重みがそのままロックのための力となるものであり、即ちそれらの重みを利用してロックを行うものであり、ロック解除は単に被噛込部を噛込位置から退避位置に僅かに外すだけで簡単に行うことができ、その際に必要な解除操作力が小さくて済む利点を有する。
【００１４】
しかしながらこのものは、スライドバーに沿った上方向の移動に対してはロックが行われないものであるため、スライドシャワーフックが上向きの力で簡単に上方に移動してしまう問題がある。
スライドシャワーフックにてシャワーヘッドを保持する際、通常これを確実に保持できるようにスライドシャワーフックのフック部に、保持力を高めるためのゴム部材等が設けられるが、この場合、シャワーヘッドをスライドシャワーフックから取り外すべく上向きに持ち上げたときに、シャワーヘッドのみならずスライドシャワーフックそのものが同時に上方に移動してしまう問題があり、使い勝手の点で問題のあるものである。
【００１５】
【特許文献１】特開平５−１１２９７９号公報
【特許文献２】特開２００５−１５５１２７号公報
【特許文献３】特開２００６−２８９８２号公報
【発明の開示】
【発明が解決しようとする課題】
【００１６】
本発明は以上のような事情を背景とし、ロック解除のための操作力が小さくて済み、操作性が良好で使い勝手が良く、しかもロック状態でスライドシャワーフックがスライドバーに沿って上方向にも下方向にも移動せず、シャワーヘッドをスライドシャワーフックから取り出す際にスライドシャワーフックが同時に移動してしまうことのない、スライドシャワーフック装置を提供することを目的としてなされたものである。
【課題を解決するための手段】
【００１７】
而して請求項１のものは、シャワーヘッドを脱着可能に掛止して保持するフック部、及びスライドバーに摺動可能に嵌合する嵌合部を備え、該スライドバーに上下方向にスライド移動可能に組み付けられるスライドシャワーフックに、該スライドシャワーフックを該スライドバーに対して上下の所定位置に固定する、ロック解除が可能なロック機構を設けて成るスライドシャワーフック装置において、前記ロック機構として、ロック状態で前記スライドシャワーフックを前記スライドバーに対し下向きに移動不能にロックし、上向きには移動可能とする下方向ロック機構と、ロック状態で該スライドシャワーフックを該スライドバーに対して上向きに移動不能にロックし、下方向には移動可能とする上方向ロック機構とを設け、それら下方向ロック機構と上方向ロック機構との各ロック作用により、前記スライドシャワーフックを前記スライドバーに対し、上下の何れの方向にも固定するようになしたことを特徴とする。
【００１８】
請求項２のものは、請求項１において、前記下方向ロック機構が上側の位置に、前記上方向ロック機構が下側の位置に配置してあることを特徴とする。
【００１９】
請求項３のものは、請求項１，２の何れかにおいて、前記下方向ロック機構を、被噛込部と、ロック作用状態で該被噛込部を前記スライドバーとともに下方向に噛み込んで、前記スライドシャワーフックを噛込方向である該下方向に移動不能とし、非噛込方向である上方向に移動可能とする噛込部と、を備えて構成するとともに、前記上方向ロック機構を、被噛込部と、ロック作用状態で該被噛込部を前記スライドバーとともに上方向に噛み込んで、前記スライドシャワーフックを噛込方向である該上方向に移動不能とし、非噛込方向である下方向に移動可能とする噛込部と、を備えて構成してあることを特徴とする。
【００２０】
請求項４のものは、請求項３において、前記下方向ロック機構の前記被噛込部を、該下方向ロック機構の前記噛込部による上側の噛込位置と、非噛込位置である下側の退避位置との間で移動可能として、該被噛込部を付勢手段にて該噛込位置に向けて上方向に付勢するか、又は前記噛込部を、前記噛込位置と、非噛込位置である上側の退避位置との間で移動可能として、該噛込部を付勢手段にて該噛込位置に向けて下方向に付勢するようになしてあり、前記上方向のロック機構の前記被噛込部を、該上方向ロック機構の前記噛込部による下側の噛込位置と、非噛込位置である上側の退避位置の間で移動可能として、該被噛込部を付勢手段にて該噛込位置に向けて下方向に付勢するか、又は前記噛込部を前記噛込位置と、非噛込位置である下側の退避位置との間で移動可能として、該噛込部を付勢手段にて該噛込位置に向けて上方向きに付勢するようになしてあることを特徴とする。
【発明の作用・効果】
【００２１】
以上のように本発明は、スライドシャワーフック装置におけるロック機構として、ロック状態でスライドシャワーフックをスライドバーに対し下向きに移動不能にロックし、上向きには移動可能とする下方向ロック機構と、ロック状態でスライドシャワーフックをスライドバーに対して上向きに移動不能にロックし、下方向には移動不能とする上方向ロック機構とを設けたもので、本発明によれば、それら下方向ロック機構と上方向ロック機構との各ロック作用により、スライドシャワーフックをスライドバーに対し上下の何れの方向にも固定しロックすることができる。
【００２２】
従って本発明によれば、ロック状態の下でスライドシャワーフックに保持されているシャワーヘッドを取り出す際、シャワーヘッドの上向きの移動につれて、スライドシャワーフックがスライドバーに沿って上向きに移動してしまうことがなく、シャワーヘッドないしスライドシャワーフック装置の使い勝手を良好とすることができる。
【００２３】
また目を瞑って洗髪や洗顔等の行為を行っているときに、使用者の不意の動きでスライドシャワーフックが使用者の身体に当り、これによりスライドシャワーフックがスライドバーに沿って上向きに移動してしまったりする問題も併せて解消することができる。
【００２４】
ここで上記の下方向ロック機構は上側位置に、また上方向ロック機構は下側位置にそれぞれを配置しておくことができる（請求項２）。
【００２５】
次に請求項３は下方向，上方向の各ロック機構を、被噛込部と、ロック作用状態で被噛込部をスライドバーとともに下方向，上方向にそれぞれ噛み込んで、そのことによりスライドシャワーフックを噛込方向の下方向，上方向にそれぞれ移動不能とし、一方非噛込方向である上方向，下方向には移動可能とする噛込部を含んで構成したもので、この請求項３によれば、スライドシャワーフック装置，これに保持されたシャワーヘッドやホース自体の重み、或いはそれらが下方向或いは上方向に移動しようとする力を利用して、スライドシャワーフックをスライドバーにロックする力を発生させることができ、従来のスライドシャワーフック装置のように、押圧部材をばね部材のばね力でスライドバーに対し横向きに押し付けることで、スライドシャワーフックをスライドバーにロックする場合と異なって、強いばね力で押圧部材をスライドバーに押し付けるといったことは必要でなく、従ってロック解除の際に小さな操作力で簡単に各ロック機構によるロックを解除することが可能であり、ロック解除の際の操作性が良好となる。
【００２６】
またこの請求項３によれば、ばね力の大きなばね部材や、押圧部材をスライドバーに対し横向きに強く押し付けるための機構をスライドシャワーフック内部に設けておかなくても良いので、スラドシャワーフック装置自体を形状的にコンパクト化することができ、そのデザイン性を高めることができる。
【００２７】
この場合において下方向のロック機構，上方向ロック機構を請求項４に従い構成しておくことで、単に被噛込部又は噛込部をロック作用位置である噛込位置から非噛込位置の退避位置に移動させるだけで、極めて簡単に各ロック機構によるロックを解除することができる。
【発明を実施するための最良の形態】
【００２８】
次に本発明の実施形態を図面に基づいて詳しく説明する。
図１において、１０は上下方向に長く延びるスライドバーで、その上端部と下端部とが、背面に配置された上下の一対の取付部材１２，１３にて壁等に取り付けられるようになっている。
【００２９】
この実施形態において、スライドバー１０は横断面形状が左右に長い、即ち左右に幅広の矩形状をなしている。
そして上下一対の取付部材１２，１３は、スライドバー１０に対する正面視において、かかるスライドバー１０の裏側に完全に隠れる状態で設けられている。
【００３０】
１６はスライドシャワーフック装置で、１８はその主要素をなすスライドシャワーフックである。
このスライドシャワーフック１８は、基端部（図中左端部）に嵌合部２０を備えており、その嵌合部２０の嵌合孔２２においてスライドバー１０に上下にスライド移動可能に嵌合している。
【００３１】
スライドシャワーフック１８は、先端部（図中右端部）にフック部２４を備えており、そのフック部２４の掛止孔２６にシャワーヘッドが脱着可能に掛止されるようになっている。
尚、スライドシャワーフック１８は基端部から先端部に向って斜め上向きに僅かに傾斜した形状をなしている。
【００３２】
スライドシャワーフック１８の内部には、スライドシャワーフック１８をスライドバー１０に対し、上方向及び下方向の両方向に固定しロックするロック機構と、ロック解除機構とが設けられており、そして図２に示しているように、スライドシャワーフック１８の下面には、ロック解除操作を行うための押ボタン式のロック解除操作部１４が、下向きに突出する状態で設けられている。
この実施形態では、後に明らかにされるようにこのロック解除操作部１４を上向きに押し上げることによって、ロック機構によるロックが解除される。
【００３３】
図３〜図５に、スライドシャワーフック１８内部の構造が具体的に示してある。
図３において、２８はスライドシャワーフックの本体部で、３０は本体部２８を後述のロック機構，ロック解除機構等とともに覆うカバーである。
この実施形態では、スライドシャワーフック１８をスライドバー１０に対し、上方向と下方向との両方向に固定しロックするロック機構として、ワンウェイクラッチ式の下方向ロック機構３２と、ワンウェイクラッチ式の上方向ロック機構３４との一対のロック機構を備えている。
【００３４】
下方向ロック機構３２は、平面形状が矩形リング状をなす噛込部材（噛込部）３６を有している。
噛込部材３６は、本体部２８の溝３８内に嵌め込まれており、本体部２８と一体に上下に移動するようになっている。
この噛込部材３６の図中左側の内面は、図３の部分拡大図に明らかに示しているように、下方に進むにつれてスライドバー１０の外周面から離れる向きに傾斜する形状の噛込面４０とされている。
【００３５】
４２は被噛込部材（被噛込部）としてのローラで、この下方向ロック機構３２では、噛込部材３６が本体部２８と一体に下向きに移動しようとしたときに、図１０に模式的に示しているように噛込部材３６が噛込面４０でローラ４２をスライドバー１０の外周面とともに噛み込み、以て本体部２８即ちスライドシャワーフック１８を下方向に固定しロックする。
【００３６】
４４はローラ４２を保持する保持部材であって、図３及び図４中、上下方向に移動可能に設けられている。
詳しくはこの保持部材４４は、左右各端部（図７（Ｃ）中上下各端部）が、本体部２８のガイド面５０、カバー３０のガイド面５２にて前後（図７（Ｃ）中左右）に挟まれた状態で、それらガイド面５０，５２のガイド作用の下に図３及び図４中上下に移動可能とされている。
尚カバー３０は、保持部材４４を左右方向（図７（Ｃ）中上下方向）に位置規制し且つガイドするガイド面５４を備えており、保持部材４４は上下に移動する際にこのガイド面５４によっても移動ガイドされる。
【００３７】
この保持部材４４は、図３，図４，図６及び図７にも示しているように上向きに突出した突出部４６を有している。
この突出部４６には保持孔４８が備えられていて、その保持孔４８に、上記のローラ４２が保持部材４４とともに上下に一体移動する状態に保持されている。
【００３８】
この下方向ロック機構３２における保持部材４４は、図３及び図６に示しているようにコイルスプリング（付勢手段）５６にて上向きに付勢されており、従って通常時の状態（ロック状態）では、ローラ４２は上側の噛込位置にあって、噛込部材３６とスライドバー１０とで下方向に噛み込まれた状態にある。
【００３９】
スライドシャワーフック１８は、噛込部材３６がローラ４２をスライドバー１０とともに下方向に噛み込んだ状態にあることによって、下方向への移動が阻止される。
このローラ４２は、保持部材４４が図中下方向に移動せしめられると、これとともに上側の噛込位置から図１０の模式図の（Ｂ）に示す下側の退避位置へと移動せしめられ、ここにおいて下方向ロック機構３２はロック解除状態となって、スライドシャワーフック１８は、スライドバー１０に沿って下方への自由な移動が可能となる。
【００４０】
上記上方向ロック機構３４は、下方向ロック機構３２と同様に、リング状をなす噛込部材５８，被噛込部材（被噛込部）としてのローラ６０、及びローラ６０を保持する上下方向に移動可能な保持部材６２とを有している。
上方向ロック機構３４において、ローラ６０は下方向ロック機構３２のローラ４２と基本的に同一形状をなしており、また噛込部材５８，保持部材６２は、下方向ロック機構３２における噛込部材３６，保持部材４４と上下方向に対称形状をなしている。
【００４１】
詳しくは、上方向ロック機構３４におけるリング状の噛込部材５８は、本体部２８の溝６４に嵌め込まれていて、本体部２８即ちスライドシャワーフック１８と一体に上下移動するようになしてあり、また図中左側に、下方向ロック機構３２における噛込部材３６の噛込面４０と逆方向に且つ同じ角度で傾斜する形状の噛込面６５を備えており、ローラ６０を図中上方向にスライドバー１０とともに噛み込むようになっている。
また保持部材６２は、下向きに突出する突出部６６を有していて、その突出部６６の保持孔６８において、ローラ６０を一体移動する状態に保持している。
【００４２】
また上方向ロック機構３４における保持部材６２は、下方向ロック機構３２と共通のコイルスプリング５６にて下向きに付勢されている。
ここで保持部材４４と６２とには、図６及び図７（Ｂ）に示すように挿入孔９０が設けられていて、その挿入孔９０に、コイルスプリング５６の上端部と下端部とがそれぞれ挿入されている。
【００４３】
従ってこの上方向ロック機構３４においては、通常時（ロック作用時）には、ローラ６０が下側の噛込位置にあって、噛込部材５８はスライドバー１０とともにローラ６０を上向きに噛み込んだ状態にあり、そしてこの噛込部材５８によるローラ６０の上方向の噛込みによって、スライドシャワーフック１８がスライドバー１０に対し上方向に固定状態にロックされる。
【００４４】
図３において、７０は下方向ロック機構３２及び上方向ロック機構３４によるロックを解除するロック解除機構で、７２はその主要素をなす解除部材である。
解除部材７２は、図４及び図６にも示しているように、一対のアーム７４と、それらを連結する連結部７５とを有する、平面形状が全体としてコ字形状をなす部材であって、各アーム７４の図中左端部がＹ字状に二股に分岐しており、それら分岐部が、それぞれ解除作用部７６とされている。
これら解除作用部７６の図中左側の内側の面は、上記保持部材４４，６２に向って互いに開く方向に傾斜する傾斜形状のカム面７８とされている。
【００４５】
尚この解除部材７２には、図６に示しているように一対のアーム７４のそれぞれの内面に沿って、図中左右方向に延びる突条１０４が設けられており、これら突条１０４が、図５に示しているように本体部２８に設けられた支持溝１０６に、摺動可能に嵌り込むことによって、かかる解除部材７２が本体部２８により図５中左右方向に移動可能に保持されている。
この解除部材７２は、図４及び図６に示しているように、解除部材７２の連結部７５と本体部２８との間に介挿されたコイルスプリング１０８にて図中右方向に、即ち後退方向に常時付勢されている。
【００４６】
一対の保持部材４４，６２には、解除部材７２の解除作用部７６にて上下方向に挟まれる、即ち解除作用を受ける被作用部８０が、図４及び図７中左右に突出する形状で設けられており、そしてそれら被作用部８０，８２のそれぞれに、解除作用部７６のカム面７８に対応した傾斜形状の（ここでは同じ角度の傾斜形状の）カム面８４が形成されている。
【００４７】
この解除部材７２の連結部７５には、図４及び図６に示しているように左右方向の中央部に、図中右方に突出する側面形状が三角形状の突出部８６が設けられている。この突出部８６の下側の面は、傾斜形状のカム面８８とされている。
【００４８】
上記押ボタン式のロック解除操作部１４は、カバー３０の開口９２、及び本体部２８の嵌合孔９４（図５（Ｂ）参照）に、その下部がカバー３０から下向きに突出する状態で上下に移動可能に嵌め込まれている。
ここでロック解除操作部１４は、図８に示す支持面９６が、カバー３０の開口９２周縁部によって支持されている。
【００４９】
嵌合孔９４には、図３，図５及び図８（Ａ）に示しているように、リブ状の摺動ガイド９８が設けられており、ロック解除操作部１４は、これらガイド９８によるガイド作用の下に、上下に移動可能とされている。
【００５０】
このロック解除操作部１４には、図６に示しているように左右方向の中央部に、リブ状に上向きに突出した当接部１００が設けられており、この当接部１００の前端に、解除部材７４におけるカム面８８に対応した角度で傾斜するカム面１０２が設けられている。
【００５１】
次に本実施形態のスライドシャワーフック装置１６の作用を説明する。
図３は、上ロック機構３２及び下ロック機構３４が、何れもロック作用状態にあって、スライドシャワーフック１８は、スライドバー１０に対し上方向及び下方向の両方向に固定され、ロックされた状態にある。
【００５２】
このとき、下方向ロック機構３２のローラ４２，上方向ロック機構３４のローラ６０が、それぞれ噛込部材３６，５８によってスライドバー１０とともに下方向，上方向に噛み込まれた状態にあり、また保持部材４４，６２は、それぞれコイルスプリング５６の付勢力によって上昇位置，下降位置にあり、更に解除部材７２は、コイルスプリング１０８の付勢力によって図３，図４中右方向に後退した状態にある。
【００５３】
この状態で、押ボタン式のロック解除操作部１４を図中上向きに押し上げると、図９に示しているように、ロック解除操作部１４のカム面１０２と、解除部材７２のカム面８８との作用によって、解除部材７２が図中左方向に強制的に前進移動させられる。
すると解除部材７２の各アーム７４の、それぞれの先端部に設けられた一対ずつの解除作用部７６が、下方向ロック機構３２の保持部材４４，上方向ロック機構３４の保持部材６２の各被作用部８０，８２を挟み込み、且つカム面７８，８４の作用で、これら被作用部８０，８２を介して保持部材４４を下向きに、また保持部材６２を上向きに強制移動させる。
【００５４】
このとき下方向ロック機構３２のローラ４２が、図１０（Ａ）に示す上側の噛込位置から、図１０（Ｂ）に示す下側の非噛込位置である退避位置へと移動する。
同様に上方向ロック機構３４におけるローラ６０も、下側の噛込位置から上側の非噛込位置である退避位置へと移動する。
【００５５】
ここにおいて下方向ロック機構３２による下方向のロック，上方向ロック機構３４による上方向のロックがそれぞれ解除された状態となり、従ってこの状態でスライドシャワーフック１８は、スライドバー１０に沿って上方向及び下方向の何れにも移動可能となる。
【００５６】
そしてスライドシャワーフック１８を所望の位置に持ち来たしたところで、ロック解除操作部１４に対する上向きの操作力を除くと、解除部材７２が図９の前進位置、即ちロック解除位置から、図中右方向に後退移動させられるとともに、ロック解除操作部１４が下方向に突き出される。
ここにおいて下方向ロック機構３２，上方向ロック機構３４の何れもが再びロック作用状態となり、スライドシャワーフック１８がスライドバー１０に対し所望の位置に固定状態となる。
【００５７】
以上のように本実施形態によれば、下方向ロック機構３２と、上方向ロック機構３４との各ロック作用により、スライドシャワーフック１８をスライドバー１０に対し、上下の何れの方向にも固定しロックすることができる。
【００５８】
従って本実施形態によれば、ロック状態の下でスライドシャワーフック１８に保持されているシャワーヘッドを取り出す際、シャワーヘッドの上向きの移動につれて、スライドシャワーフック１８が、スライドバー１０に沿って上向きに移動してしまうことがなく、シャワーヘッドないしスライドシャワーフック装置１６の使い勝手を良好とすることができる。
【００５９】
また目を瞑って洗髪や洗顔等の行為を行っているときに、使用者の不意の動きでスライドシャワーフック１８が使用者の身体に当り、これによりスライドシャワーフック１８が、スライドバー１０に沿って上向きに移動してしまったりする問題も解消することができる。
【００６０】
また本実施形態によれば、スライドシャワーフック装置１６，これに保持されたシャワーヘッドやホース自体の重み、或いはそれらが下方向或いは上方向に移動しようとする力を利用して、スライドシャワーフック１８をスライドバー１０に固定状態にロックする力を発生させることができるため、従来のスライドシャワーフック装置のように、押圧部材をばね部材のばね力でスライドバーに対し横向きに押し付けることでスライドシャワーフックをスライドバーにロックするのと異なって、強い力で押圧部材をスライドバーに横向きに押し付けることは必要でなく、従ってロック解除の際に小さな操作力で簡単にロック解除することが可能であり、ロック解除の際の操作性が良好となる。
【００６１】
またばね力の大きなばね部材や、押圧部材をスライドバー１０に対し横向きに強く押し付けるための機構を、スライドシャワーフック１８内部に設けておかなくても良いので、スラドシャワーフック装置１６自体を形状的にコンパクト化することができ、そのデザイン性を高めることができる。
【００６２】
また本実施形態では単に保持部材４４，６２をロック作用位置である噛込位置から、非噛込位置の退避位置に移動させるだけで、極めて簡単にロック解除することができる利点を有する。
【００６３】
以上本発明の実施形態を詳述したが、これはあくまで一例示である。
例えば上記実施形態では、被噛込部としてのローラ４２，６０を噛込位置と退避位置との間で移動可能となして、これを付勢手段としてのコイルスプリングにてそれぞれの噛込位置に向けて付勢するようになしているが、場合によってローラ４８，６０をスライドシャワーフック１８と一体に上下移動させるようになし、噛込部材３６，５８を噛込位置と退避位置との間で移動可能となして、それらを付勢手段にて噛込位置に向けて付勢するようになすといったことも可能である。
【００６４】
また被噛込部として、上記実施形態ではローラ４８，６０を用いているが、これを他の形態の被噛込部として構成することも可能である等、本発明はその趣旨を逸脱しない範囲において種々変更を加えた形態で構成可能である。
【図面の簡単な説明】
【００６５】
【図１】本発明の一実施形態のスライドシャワーフック装置をスライドバーと共に外観状態で示す斜視図である。
【図２】図１のスライドシャワーフック装置を別の方向から示した要部斜視図である。
【図３】同実施形態のスライドシャワーフック装置の内部構造を組付状態を示す側面断面図である。
【図４】同実施形態のスライドシャワーフック装置の内部構造を組付状態で示す斜視図である。
【図５】同実施形態のスライドシャワーフック装置における本体部の一部を示す斜視図である。
【図６】同実施形態のスライドシャワーフック装置を各部品に分解して示した斜視図である。
【図７】同実施形態のスライドシャワーフック装置における保持部材を示す図である。
【図８】同実施形態のスライドシャワーフック装置におけるロック解除操作部の図である。
【図９】同実施形態のスライドシャワーフック装置のロック解除の際の動作を説明する図である。
【図１０】同実施形態におけるロック機構の原理を説明する図である。
【図１１】従来のスライドシャワーフック装置の一例を示した斜視図である。
【図１２】従来例におけるロック機構を示す断面図である。
【符号の説明】
【００６６】
１０  スライドバー
１６  スライドシャワーフック装置
１８  スライドシャワーフック
３２  下方向ロック機構
３４  上方向ロック機構
３６，５８  噛込部材（噛込部）
４６，６０  ローラ（被噛込部）
４０，６５  噛込面
４４，６２  保持部材
５６  コイルスプリング（付勢手段）
【図１】
2008190264.tif 000003
【図２】
2008190264.tif 000004
【図３】
2008190264.tif 000005
【図４】
2008190264.tif 000006
【図５】
2008190264.tif 000007
【図６】
2008190264.tif 000008
【図７】
2008190264.tif 000009
【図８】
2008190264.tif 000010
【図９】
2008190264.tif 000011
【図１０】
2008190264.tif 000012
【図１１】
2008190264.tif 000013
【図１２】
2008190264.tif 000014